(57)【要約】      （修正有）【課題】潮流や波の影響を受けやすい海で使用する場合であっても、長期間に渡って魚礁としての機能を発揮し続ける人工魚礁を提供する。【解決手段】多数の竹枝１を用い、かつ、竹枝１の流失を防止する網部材２を備えている。竹枝１を網部材２に取着すると共に、壁状として水底Ｂに立設している。また、竹枝１を中空立体構造の枠体に取着し、枠体の周囲を網部材２によって包囲している。【選択図】図１
2012005356.tif 000002
【特許請求の範囲】
【請求項１】
多数の竹枝（１）を用い、かつ、該竹枝（１）の流失を防止する網部材（２）を備えたことを特徴とする人工魚礁。
【請求項２】
上記竹枝（１）を上記網部材（２）に取着すると共に、壁状として水底（Ｂ）に立設した請求項１記載の人工魚礁。
【請求項３】
上記竹枝（１）を上記網部材（２）に取着すると共に、カーペット状として水底（Ｂ）に設置した請求項１記載の人工魚礁。
【請求項４】
上記竹枝（１）を中空立体構造の枠体（３）に取着し、該枠体（３）の周囲を上記網部材（２）によって包囲した請求項１記載の人工魚礁。
【請求項５】
上記竹枝（１）を上記網部材（２）に取着し、該網部材（２）を中空立体構造の枠体（３）の周囲に包囲状として被覆した請求項１記載の人工魚礁。
【請求項６】
所定数の上記竹枝（１）を結束して竹束（１０）を作製し、複数の該竹束（１０）を井桁状に順次組み上げて井桁構造体（４）を構成し、該井桁構造体（４）の周囲を上記網部材（２）によって包囲した請求項１記載の人工魚礁。
【請求項７】
所定数の上記竹枝（１）を上記網部材（２）によって包囲して一体状の浮遊構造体（５）を形成し、該浮遊構造体（５）を水中の中間深さに浮遊させている請求項１記載の人工魚礁。
【請求項８】
所定数の上記竹枝（１）を上記網部材（２）によって包囲して一体状の浮遊構造体（５）を形成し、該浮遊構造体（５）を水面（Ａ）下方近傍位置から水面（Ａ）上に渡って浮遊させている請求項１記載の人工魚礁。
【発明の詳細な説明】
【技術分野】
【０００１】
本発明は、人工魚礁に関する。
【背景技術】
【０００２】
従来、魚類の繁殖場所の提供と生活環境を整備する目的で人為的に水中に沈められる人工魚礁が用いられている。人工魚礁の材料としては、スギやヒノキ等の木材を用いたものがみられるが、木材は腐食やフナクイムシ等の食害により、１〜３年で使い物にならなくなる。そこで、木材に替えて竹を用いた人工魚礁が提案されている（特許文献１参照）。
【先行技術文献】
【特許文献】
【０００３】
【特許文献１】特開２０１０−４６０５４号公報
【発明の概要】
【発明が解決しようとする課題】
【０００４】
しかし、従来の人工魚礁は、竹の主幹部を縦方向に分割した竹材を用い、ロープで結んで束にした状態で水没させるものであるため、潮流や波の影響を受けやすい海で使用すると、１〜２年で竹材を束ねるロープが外れて束が崩壊し、竹材が流失してしまうという欠点があった。竹材がバラバラになって離散してしまうと、魚類の生息環境を整備するという魚礁としての機能を十分に果たせなくなり、設置後数年毎に人工魚礁を修復又は交換しなければならず、多大な労力を費やすばかりかコストも嵩むという問題を生じていた。
【０００５】
そこで、本発明は、潮流や波の影響を受けやすい海で使用する場合であっても、長期間に渡って魚礁としての機能を発揮し続ける人工魚礁を提供することを目的とする。
【課題を解決するための手段】
【０００６】
本発明に係る人工魚礁は、多数の竹枝を用い、かつ、該竹枝の流失を防止する網部材を備えたものである。
【０００７】
また、上記竹枝を上記網部材に取着すると共に、壁状として水底に立設したものである。
また、上記竹枝を上記網部材に取着すると共に、カーペット状として水底に設置したものである。
また、上記竹枝を中空立体構造の枠体に取着し、該枠体の周囲を上記網部材によって包囲したものである。
また、上記竹枝を上記網部材に取着し、該網部材を中空立体構造の枠体の周囲に包囲状として被覆したものである。
【０００８】
また、所定数の上記竹枝を結束して竹束を作製し、複数の該竹束を井桁状に順次組み上げて井桁構造体を構成し、該井桁構造体の周囲を上記網部材によって包囲したものである。
また、所定数の上記竹枝を上記網部材によって包囲して一体状の浮遊構造体を形成し、該浮遊構造体を水中の中間深さに浮遊させているものである。
また、所定数の上記竹枝を上記網部材によって包囲して一体状の浮遊構造体を形成し、該浮遊構造体を水面下方近傍位置から水面上に渡って浮遊させているものである。
【発明の効果】
【０００９】
本発明の人工魚礁によれば、網部材によって竹枝をバラバラに離散させず、確実に保持できるため、耐用期間を延長できる。また、竹枝を用いることで、フナクイムシ等の食害を受けにくく、水中で腐りにくく、３年〜５年の長期間に渡っての使用が可能となる。また、細長い竹枝を寄せ集めて複雑な空間を形成し、構造を密なものとすることができ、魚類及び海藻類にとって好ましい生息環境を提供でき、魚礁としての機能を有効に発揮することができる。さらに、余っている不用な竹枝を活用でき、コストを削減できる。また、廃棄される植物資源を再利用するという面で、自然環境に貢献できる。
【図面の簡単な説明】
【００１０】
【図１】本発明の第１の実施の形態を示した斜視図である。
【図２】本発明の第２の実施の形態を示した斜視図である。
【図３】本発明の第３の実施の形態を示した斜視図である。
【図４】本発明の第４の実施の形態を示した斜視図である。
【図５】本発明の第５の実施の形態を示した斜視図である。
【図６】本発明の第６の実施の形態を示した側面図である。
【図７】本発明の第７の実施の形態を示した側面図である。
【発明を実施するための形態】
【００１１】
以下、実施の形態を示す図面に基づき本発明を詳説する。
一般的に、人工魚礁は、魚類の繁殖場所として、又は、安全な生活環境を整備するために、或いは、海藻類が着生しやすくするために、水中に設置されている。魚は、外敵から身を守るシェルターとして人工魚礁を利用するため、人工魚礁周辺に魚が集まってくる。人工魚礁は、こういった魚を住み着き易くするために設置されている。
図１〜７に示すように、本発明の人工魚礁は、多数の竹枝１を用い、かつ、竹枝１の流失を防止する網部材２を備えている。
竹枝１は、竹の主幹部（桿）から分かれた細い枝を伐採して得たものであり、葉は有っても無くてもよい。近年利用機会の少なくなった竹が余ることが多くなり、特に、主幹部を資源として利用することは有っても、竹枝１は、不用なものとして最も余っており、廃棄処分されるものが多いため、安価に手に入れることができる材料である。竹枝１は、表皮が固く、フナクイムシの食害を受けにくい。また、竹枝１は、海水や汽水に長期間水没させた場合でも腐りにくい。多数の竹枝１…を寄せ集めることにより、細かい隙間を多く有する複雑な空間を造り出し、構造が密になっている。密集した構造を有する人工魚礁は、比較的小さい種類の魚や稚魚にとって、外敵から身を潜める場所に適しており、産卵場所として利用されやすい。また、海藻類が着生しやすく、さらに、消波効果があり、砂の流出を防止する機能も有している。なお、竹枝１は主幹部（桿）に付けたまま用いるもよい。
網部材２は、天然繊維、化学繊維又はワイヤ等を粗く編んだものであり、水中で使用しても劣化しにくい漁網を使用するのが望ましい。
【００１２】
図１は、本発明の第１の実施の形態を示している。
第１の人工魚礁は、竹枝１を網部材２に取着すると共に、（鉛直の）壁状として水底Ｂに立設している。竹枝１…は、所定数を纏めて結束して竹箒状とされ、帯状の網部材２に複数の竹束１０…として並列状に括り付け（縛り付け）られている。網部材２は、幅方向の一方側（下端縁）２０に固定用の重りＷ，Ｗを取付け、かつ、他方側（上端縁）２１に浮きＦ，Ｆを取り付けている。網部材２は、重りＷ，Ｗによって一方側（下端縁）２０を水底Ｂに固定され、竹枝１が潮流や波で流されてバラバラにならないように保持している。竹束１０は、穂先部１１に近づくにつれて構造が次第に繁雑となり外径が拡散するように構成されており、網部材２の一方側２０に夫々の竹束１０の穂先部１１を向けて並設されている。従って、第１の人工魚礁は、水底Ｂ（網部材２の一方側２０）近傍では、隣接する穂先部１１，１１が相互に重なり合って複雑かつ密集した空間を形成している。
【００１３】
図２は、本発明の第２の実施の形態を示している。
第２の人工魚礁は、竹枝１を網部材２に取着すると共に、カーペット状（略水平面状）として水底Ｂに設置している。竹枝１…が、帯状の網部材２に複数の竹束１０…として並列状に括り付け（縛り付け）られている点は、上述の第１の実施形態と共通しているが、網部材２が、幅方向の両側２０，２１に固定用の重りＷ，Ｗを取付けている点で相違している。網部材２は、両側２０，２１を重りＷ，Ｗによって固定され、水底Ｂに伏せたような状態で、竹枝１が潮流や波で流されてバラバラにならないように保持している。
【００１４】
図３は、本発明の第３の実施の形態を示している。
第３の人工魚礁は、竹枝１を中空立体構造の枠体３に取着し、枠体３の周囲を網部材２によって包囲している。
図３に於て、枠体３は、立方体形状の骨組みを有する金属製のフレームを図示しているが、材料をコンクリートや木材等としてもよく、構造をより複雑なものとしてもよい。竹枝１…は、枠体３の内部に収容され、又は、枠体３の骨格に取付けられている。網部材２の４隅に固定用の重りＷ，Ｗ，Ｗを取付け、枠体３の周囲を覆うように上方から被せた状態で水底Ｂに固定され、竹枝１の流失を防止している。
【００１５】
図４は、本発明の第４の実施の形態を示している。
第４の人工魚礁は、竹枝１を網部材２に取着し、網部材２を中空立体構造の枠体３の周囲に包囲状として被覆している。枠体３を用いる点で上述の第３の実施形態と共通しているが、所定数の竹枝１…を結束して複数の竹束１０…として括り付け（縛り付け）た網部材２を、枠体３に被せている点で相違する。網部材２の４隅には、固定用の重りＷ，Ｗ，Ｗが取付けられ、枠体３の周囲を覆うように上方から被せた状態で水底Ｂに固定されている。網部材２は、竹枝１が潮流や波で流されてバラバラにならないように保持している。
【００１６】
図５は、本発明の第５の実施の形態を示している。
第５の人工魚礁は、所定数の竹枝１を結束して竹束１０を作製し、複数の竹束１０を井桁状に順次組み上げて井桁構造体４を構成し、井桁構造体４の周囲を網部材２によって包囲している。
井桁構造体４は、複数の竹束１０…を組み上げて平面視略井の字状に形成したものである。具体的には、一対の竹束１０，１０を、穂先部１１，１１を向かい合わせにして直列状に連結し、丸太状とした一対の竹束１０，１０を、２組平行に並べて、その上に平行な２組の丸太状竹束１０，１０を直交するように載置する。さらに、２組の平行な丸太状竹束１０，１０を交互に直交するように積み上げていくと、平面視略井の字状の井桁構造体４が構成される。４隅に固定用の重りＷ，Ｗ，Ｗを取付けた網部材２を、井桁構造体４の周囲を覆うように上方から被せた状態で水底Ｂに固定し、井桁構造体４を保持すると共に竹枝１の流失を防止している。
【００１７】
図６は、本発明の第６の実施の形態を示している。
第６の人工魚礁は、所定数の竹枝１を網部材２によって包囲して一体状の浮遊構造体５を形成し、浮遊構造体５を水中の中間深さに浮遊させている。
浮遊構造体５は、複数の竹束１０…を寄せ集めて塊状とし、網部材２によって周囲を包囲している。浮遊構造体５は、下方に碇を下ろすように固定用の重りＷ，Ｗ，Ｗを繋いだロープを垂らしており、かつ、上方の水面Ａ上にて位置の確認ができるようにすると共に必要に応じて浮遊構造体５を支える浮力を有する浮きＦをロープで繋いでいる。
【００１８】
図７は、本発明の第７の実施の形態を示している。
第７の人工魚礁は、所定数の竹枝１を網部材２によって包囲して一体状の浮遊構造体５を形成し、浮遊構造体５を水面Ａ下方近傍位置から水面Ａ上に渡って浮遊させている。
浮遊構造体５は、複数の竹束１０…を寄せ集めて塊状とし、網部材２によって周囲を包囲している。浮遊構造体５は、下方に碇を下ろすように固定用の重りＷを繋いだロープを垂らしている。浮遊構造体５は、一部が水面Ａの上に浮上し、浮島状となっており水面Ａ上での位置の確認ができるようになっている。
【００１９】
上述した本発明の人工魚礁の使用方法（作用）について説明する。
図１〜図７に示すように、人工魚礁の周辺には、魚が集まりやすく、住み着き易い環境が形成される。特に、密集した多数の竹枝１…は、複雑かつ密な構造を有するため、比較的小型の種類の魚や稚魚にとっては、安全が確保され、産卵場所として有効に利用される。また、海藻の着生場所としても有効であり、水産資源の保護を図る上で重要な役割を果たす。
人工魚礁は、海又は汽水域の水中に設置された後、網部材２によって竹枝１が潮流や波で流されてバラバラにならないように保持する。すなわち、魚礁としての役割を、３年〜５年の長期間に渡って発揮し、その間、修復・交換の必要もなく使用が可能となる。
【００２０】
以上のように、本発明は、多数の竹枝１を用い、かつ、竹枝１の流失を防止する網部材２を備えたので、網部材２によって竹枝１をバラバラに離散させず、確実に保持できるため、耐用期間を延長できる。また、竹枝１を用いることで、フナクイムシ等の食害を受けにくく、水中で腐りにくく、３年〜５年の長期間に渡っての使用が可能となる。また、細長い竹枝１を寄せ集めて複雑な空間を形成し、構造を密なものとすることができ、魚類及び海藻類にとって好ましい生息環境を提供でき、魚礁としての機能を有効に発揮することができる。さらに、さらに、余っている不用な竹枝１を活用でき、コストを削減できる。また、廃棄される植物資源を再利用するという面で、自然環境に貢献できる。
【００２１】
また、竹枝１を網部材２に取着すると共に、壁状として水底Ｂに立設したので、渦流効果や陰影効果が期待できる。
【００２２】
また、竹枝１を網部材２に取着すると共に、カーペット状として水底Ｂに設置したので、船曳漁法の漁網が絡まりにくい。また、底生性魚類を多く集めることができる。
【００２３】
また、竹枝１を中空立体構造の枠体３に取着し、枠体３の周囲を網部材２によって包囲したので、高い集魚効果を発揮し、かつ、魚を長期滞在させることができる。特に、複雑な内部構造がシェルター効果を生み、稚魚の育成に適している。しかも、安定して水底Ｂに設置できる。
【００２４】
また、竹枝１を網部材２に取着し、網部材２を中空立体構造の枠体３の周囲に包囲状として被覆したので、高い集魚効果を発揮し、かつ、魚を長期滞在させることができる。特に、複雑な内部構造がシェルター効果を生み、稚魚の育成に適している。しかも、安定して水底Ｂに設置できる。
【００２５】
また、所定数の竹枝１を結束して竹束１０を作製し、複数の竹束１０を井桁状に順次組み上げて井桁構造体４を構成し、井桁構造体４の周囲を網部材２によって包囲したので、高い集魚効果を発揮し、かつ、魚を長期滞在させることができる。特に、複雑な内部構造がシェルター効果を生み、稚魚の育成に適している。しかも、安定して水底Ｂに設置できる。
【００２６】
また、所定数の竹枝１を網部材２によって包囲して一体状の浮遊構造体５を形成し、浮遊構造体５を水中の中間深さに浮遊させているので、漂流物に集まる習性を持つ魚を多く集めることができる。
【００２７】
また、所定数の竹枝１を網部材２によって包囲して一体状の浮遊構造体５を形成し、浮遊構造体５を水面Ａ下方近傍位置から水面Ａ上に渡って浮遊させているので、漂流物に集まる習性を持つ魚を多く集めることができる。
【符号の説明】
【００２８】
１  竹枝
２  網部材
３  枠体
４  井桁構造体
５  浮遊構造体
１０  竹束
Ａ  水面
Ｂ  水底
【図１】
2012005356.tif 000003
【図２】
2012005356.tif 000004
【図３】
2012005356.tif 000005
【図４】
2012005356.tif 000006
【図５】
2012005356.tif 000007
【図６】
2012005356.tif 000008
【図７】
2012005356.tif 000009